(57)【要約】【課題】  長い条状を呈する野菜果物が確実に整列されて全自動に包装できて、野菜果物の新鮮度を確保すること。【解決手段】  機械の底部には袋体を供給するための袋供給装置が設けてあり、また、機械の入り口端には輸送装置が設けてあり、前記輸送装置の出口端には止め装置が設けてあり、前記止め装置の近傍には検知装置が設けてあり、前記検知装置の下流には袋体の側辺を密封するための側辺密封装置が設けてあり、また、密封切断装置により袋体を密封し、また、前記検知装置には動力源が設けてあり、前記動力源の出力箇所には案内板が連接してあり、前記案内板の両側には野菜果物の整列状態を検知するためのセンサーが設けてあり、整列された野菜果物が密封切断装置に通過するときに、前記密封切断装置が野菜果物を密封する。【選択図】  図１
0003115045.tif 000002
【実用新案登録請求の範囲】
【請求項１】
機械の底部には袋体を供給するための袋供給装置が設けてあり、
機械の入り口端には輸送装置が設けてあり、
前記輸送装置の出口端には止め装置が設けてあり、
前記止め装置の近傍には検知装置が設けてあり、
前記検知装置の下流には袋体の側辺を密封するための側辺密封装置が設けてあり、
密封切断装置により袋体を密封し、
前記検知装置には動力源が設けてあり、
前記動力源の出力箇所には案内板が連接してあり、
前記案内板の両側には野菜果物の整列状態を検知するためのセンサーが設けてあり、
整列された野菜果物が密封切断装置に通過するときに、前記密封切断装置が野菜果物を密封することを特徴とする、
野菜果物用包装機械。
【請求項２】
前記動力源は空気圧装置であることを特徴とする、請求項１に記載の野菜果物用包装機械。
【請求項３】
前記案内板はＵ字形を呈していることを特徴とする、請求項１に記載の野菜果物用包装機械。
【考案の詳細な説明】
【技術分野】
【０００１】
本考案は、野菜果物用包装機械に係り、特に、長い条状を呈する野菜果物を全自動に包装することができ、且つ包装するときに野菜果物が確実に整列されたので、袋体を完全に密封するこができ、これにより、野菜果物の新鮮度が確保される野菜果物用包装機械に関するものである。
【背景技術】
【０００２】
包装機械は、包装されるものの形状に応じて、その構造が異なる。いま市販している包装機械において、長い条状を呈する野菜果物が整列されて束にして全自動に包装することができる包装機械はまだ見られなく、目下、長い条状を呈する野菜果物は、人工で束にして袋体に入れるか、半自動包装機械により包装することが一般である。
【考案の開示】
【考案が解決しようとする課題】
【０００３】
しかしながら、上記方法によれば、作業効率が良くないので、包装コストが高くなり、且つ包装の品質にばらつきがあり、市場競争力が低下である。
【課題を解決するための手段】
【０００４】
上記欠点を解決するためになされた本願の考案は、機械の底部には袋体を供給するための袋供給装置が設けてあり、また、機械の入り口端には輸送装置が設けてあり、前記輸送装置の出口端には止め装置が設けてあり、前記止め装置の近傍には検知装置が設けてあり、前記検知装置の下流には袋体の側辺を密封するための側辺密封装置が設けてあり、また、密封切断装置により袋体を密封し、また、前記検知装置には動力源が設けてあり、前記動力源の出力箇所には案内板が連接してあり、前記案内板の両側には野菜果物の整列状態を検知するためのセンサーが設けてあり、整列された野菜果物が密封切断装置に通過するときに、前記密封切断装置が野菜果物を密封することを特徴とする野菜果物用包装機械であることを要旨としている。
【０００５】
本願の考案では、前記動力源は空気圧装置でもいいことを特徴とする請求項１に記載の野菜果物用包装機械であることを要旨としている。
【０００６】
本願の考案では、前記案内板はＵ字形を呈してもいいことを特徴とする請求項１に記載の野菜果物用包装機械であることを要旨としている。
【考案の効果】
【０００７】
本考案に係る野菜果物用包装機械によれば、長い条状を呈する野菜果物が確実に整列されて全自動に包装することができるので、袋体を完全に密封するこができ、これにより、野菜果物の新鮮度が確保される。
【考案を実施するための最良の形態】
【０００８】
以下、添付図面を参照して本考案の好適な実施の形態を詳細に説明する。
【０００９】
まず、図１を参照する。本考案に係る野菜果物用包装機械は、機械１の底部には袋体を供給するための袋供給装置２が設けてあり、また、機械の入り口端には輸送装置３が設けてあり、前記輸送装置３の出口端には止め装置４が設けてあり、前記止め装置４の近傍には検知装置５が設けてあり、前記検知装置５の下流には袋体８の側辺を密封するための側辺密封装置６が設けてあり、また、密封切断装置７により袋体８を密封する。
【００１０】
前記袋供給装置２は、伝動軸２１にゴムロール２０を設置して、中央線で折って側辺に開放状態を呈する袋体８が多数のローラ２２を通過した後、側辺密封装置６内に斜めに引かれて、前記側辺密封装置６の前後挟みローラ組６１,６２により挟んで引かせる。
【００１１】
前記輸送装置３は、図２に示すように、ハウジング台３１内にＶ字形欠け口が設けてあり、その内部にはコンベヤー３３を駆動し動力源に駆動される伝動ローラ３２が設けてあり、二つのコンベヤー３３は、Ｖ字形欠け口を形成し、野菜果物をＶ字形欠け口の底部に集中して輸送する。
【００１２】
前記止め装置４は、図３と図４に示すように、台座４１の近傍に出力軸４２１が二段のストロークを前進/後退可能な動力源４２が設けてあり、支レバー４３の下端に前記動力源４２の出力軸４２１が枢着してあり、前記支レバー４３の中段は自在台４４に枢着してあり、前記支レバー４３の上端には止め板４５が設けてあり、前記自在台４４にスライドレバー４６が挿通してあり、前記スライドレバー４６の一端が台座４１に連接し、他端に制限ブロック４６１が設けてあり、前記制限ブロック４６１により、スライドレバー４６においての自在台４４の移動範囲が限定される。
【００１３】
前記検知装置５の動力源５１は止め装置４の近傍に設置され、前記動力源５１は空気圧装置であってもよく、また、前記動力源５１の出力箇所５１１ではＵ字形案内板５２が固定してあり、前記案内板５２の両側には野菜果物の整列状態を検知するためのセンサー５３が設けてあり、すなわち、前記センサー５３を設置する目的は、野菜果物９の硬さが異なるので、止め板４５により野菜果物９を整列する際に、より硬い野菜果物９が定位に確実に押しやられるが、より柔らかい野菜果物９は、止め板４５に押しやられる過程中に押圧されて凹みになり、定位に確実に押しやられることができないので、前記止め板４５が本来の位置に戻った後、より柔らかくて弾性を持つ野菜果物９は本来の形状に回復して突起し、これらの野菜果物９は密封切断装置７に輸送されたと、袋体８が完全に密封できなく、包装された野菜果物９の新鮮度は確保できないので、検知装置５により野菜果物９が止め板４５によって定位に確実に押しやられて整列されたかを確認する。
【００１４】
前記側辺密封装置６には、内側に固定ローラ６１１，６２１が設けてあり、外側に自在ローラ６１２，６２２が設けてあり、図５に示すように、袋体８を輸送するための前後挟みローラ組６１,６２も設けてあり、且つ前後挟みローラ組６１,６２が板枠６３の下方に設けられ、前後挟みローラ組６１,６２の間には袋体８の側辺を密封して円筒状にするための密封組６４が設けてある。
【００１５】
前記密封切断装置７のコ字形枠７１内には、図６乃至図８に示すように、上下密封刃台７１３，７１４を設置するための上下スライドプレート７１１，７１２が取付けてあり、上下スライドプレート７１１，７１２の間にはエヤシリンダー７２１によって水平に伸縮する挿入板７２が設けてあり、且つ下スライドプレート７１２は立設レバー７３１を介して機械１内の上エヤシリンダー７３と連接し、上エヤシリンダー７３により下スライドプレート７１２が昇降され、且つ上エヤシリンダー７３の下端は固定板枠７４と連接し、前記固定板枠７４の下端は下エヤシリンダー７５と連接することによりコ字形枠７１が連接され、そうすると、コ字形枠７１は昇降できるようになる。また、密封切断装置７の後ろ方には、支持枠７６が設けてあり、且つ二つの水平エヤシリンダー７６１，７６２と一つの垂直エヤシリンダー７６３とがそれぞれ設けてあり、前記水平エヤシリンダー７６１，７６２と垂直エヤシリンダー７６３との出力箇所では押し板７６４，７６５，７６６がそれぞれ設けてあり、押し板７６４，７６５，７６６の正面にフォーム押え体７６７，７６８，７６９がそれぞれ設けてある。
【００１６】
上記部材と構成により、図１に示すように、人工または自動輸送装置によって、束になり長い条状を呈する野菜果物は、図９と図１０に示すように、輸送装置３の上に設置されて止め装置４内に輸送され、このとき、動力源４２の出力軸４２１の二段式ストロークにより自在台４４上の支レバー４３を押上げ、前記支レバー４３の一端に設けた止め板４５が回転しながら、包装しようとする野菜果物９を前へ移動させ、一段目のストロークを完成した後、動力源４２の出力軸４２１は二段目のストロークを実施し、自在台４４が台座４１のスライドレバー４６上に移動すると共に、支レバー４３と止め板４５とが自在台４４と一緒に移動され、これにより、図１１に示すように、包装しようとする野菜果物９が袋体８の商標ラベルまで押えられる。
【００１７】
次に、図１と図１２に示すように、検知装置５の動力源５１が作動し、Ｕ字形の案内板５２が連動されて上下に移動し、前記案内板５２に設けたセンサー５３はその間にある野菜果物９の整列状態の良否を検知し、野菜果物９が未整列状態である場合には、輸送装置が停止されて人工により野菜果物９を整列し、また、止め板４５を回復することにより野菜果物９を側辺密封装置６の下の円筒状の袋体８内に進入させ、前記円筒状の袋体８は本来が開放状態であり、図５に示すように、両側の側辺が前後挟みローラ組６１,６２によって挟まれて前方へ移動され、開放状態の袋体８が前後挟みローラ組６１,６２によって挟まれて輸送するときに、袋体８の両側の側辺は互いに接触して輪状密封組６４を通過し密封され、最後に、図６乃至図８に示すように、袋体８が密封切断装置に送られて両端を密封し切断し、すなわち、まず、エヤシリンダー７２１で挿入板７２を押すことにより、袋体８の両側を凹状になってから、挿入板７２を本来の位置に後退し、このとき、水平エヤシリンダー７６１，７６２と垂直エヤシリンダー７６３とは同時に作動し、フォーム製押え体７６７，７６８，７６９は野菜果物９が入れられた袋体８へ押え、袋体８内のエヤを絞り出して、上下エヤシリンダー７３,７５を同時に作動し、下密封刃台７１４を上昇し上密封刃台７１３を降下することにより、袋体８の密封しようとする箇所を挟んで密封して切断し、上記工程を連続に作動すると自動包装作業になる。
【００１８】
上記構成から明らかなように、止め装置の近傍に検知装置を設置し、止め装置によって野菜果物を整列させた後、前記検知装置は上下から野菜果物の整列状態の良否を検知し、これにより、野菜果物の整列状態の良否は確実に検知され、袋体を密封し切断する際に、野菜果物は密封切断線に侵入することを事前に防止することができ、だから、包装された野菜果物の新鮮度は確保できる。
【図面の簡単な説明】
【００１９】
【図１】本考案全体の組合状態の側面図である。
【図２】本考案に係る輸送装置の正面図である。
【図３】本考案に係る止め装置と検知装置との側面図である。
【図４】本考案に係る止め装置と検知装置との正面図である。
【図５】本考案に係るエッジ密封装置の上面図である。
【図６】本考案に係る密封切断装置の正面図１である。
【図７】本考案に係る密封切断装置の正面図２である。
【図８】本考案に係る密封切断装置の上面図である。
【図９】本考案により野菜果物を整列させることを示す概略図である。
【図１０】本考案により整列された野菜果物を移動することを示す概略図である。
【図１１】本考案により野菜果物を整列したことを示す概略図である。
【図１２】本考案に係る検知装置により上下変位を検知することを示す概略図である。
【符号の説明】
【００２０】
１        機械                      ２        袋供給装置
２１      伝動軸                    ２０      ゴムロール
２２      ローラ                    ３        輸送装置
３１      ハウジング台              ３２      伝動ローラ
３３      コンベヤー                ４        止め装置
４１      台座                      ４２１    出力軸
４２      動力源                    ４３      支レバー
４４      自在台                    ４５      止め板
４６      スライドレバー            ４６１    制限ブロック
５        検知装置                  ５１      動力源
５１１    出力箇所                  ５２      案内板
５３      センサー                  ６        側辺密封装置
６１１    固定ローラ                ６２１    固定ローラ
６１２    自在ローラ                ６２２    自在ローラ
６１      前挟みローラ組            ６２      後挟みローラ組
６３      板枠                      ６４      輪状密封組
７        密封切断装置              ７１      コ字形枠
７１３    上密封刃台                ７１４    下密封刃台
７１１    上スライドプレート        ７１２    下スライドプレート
７２１    エヤシリンダー            ７２      挿入板
７３１    立設レバー                ７３      上エヤシリンダー
７４      固定板枠                  ７５      下エヤシリンダー
７６      支持枠                    ７６１    水平エヤシリンダー
７６２    水平エヤシリンダー        ７６３    垂直エヤシリンダー
７６４    押し板                    ７６５    押し板
７６６    押し板                    ７６７    フォーム製押え体
７６８    フォーム製押え体          ７６９    フォーム製押え体
８        袋体                      ９        野菜果物
【図１】
0003115045.tif 000003
【図２】
0003115045.tif 000004
【図３】
0003115045.tif 000005
【図４】
0003115045.tif 000006
【図５】
0003115045.tif 000007
【図６】
0003115045.tif 000008
【図７】
0003115045.tif 000009
【図８】
0003115045.tif 000010
【図９】
0003115045.tif 000011
【図１０】
0003115045.tif 000012
【図１１】
0003115045.tif 000013
【図１２】
0003115045.tif 000014